(57)【特許請求の範囲】
【請求項１】
側面に突起を有する導光板と、前記導光板の突起が配置される凹部を有するハウジングフレームと、前記導光板の出射面と対向する裏面側に配置される反射シートと、前記ハウジングフレームの裏面に前記反射シートを固定する固定手段と、を備え、
前記ハウジングフレームの凹部には、裏面側が開放されるように形成されているとともに、少なくとも一部が前記固定手段で覆われる第１の凹部が含まれており、前記第１の凹部に配置される突起は、前記固定手段と対向する対向面が前記固定手段から離間していることを特徴とする面状照明装置。
【請求項２】
前記第１の凹部に配置される突起は、前記固定手段と対向する対向面が、前記導光板の裏面の高さ位置を基点として、外側に向かうほど前記導光板の出射面側に位置するように傾斜している面部を有することを特徴とする請求項１に記載の面状照明装置。
【請求項３】
前記固定手段が両面テープであることを特徴とする請求項１または２に記載の面状照明装置。
【請求項４】
前記第１の凹部に配置される突起は、その平面視形状が、外側ほど幅が狭い台形形状であることを特徴とする請求項１から３のいずれか１項に記載の面状照明装置。
【請求項５】
前記第１の凹部に配置される突起は、前記導光板の側面との境界部分がＲ形状であることを特徴とする請求項１から４のいずれか１項に記載の面状照明装置。
【請求項６】
前記第１の凹部に配置される突起は、前記導光板の裏面寄りに設けられ、前記第１の凹部は、前記ハウジングフレームの表面寄りに壁部を残して段状に形成されていることを特徴とする請求項１から５のいずれか１項に記載の面状照明装置。
【発明の詳細な説明】
【技術分野】
【０００１】
本発明は、面状照明装置に関し、特に、導光板をハウジングフレームに収納した構成を有する面状照明装置に関する。
【背景技術】
【０００２】
現在、液晶表示装置用のバックライトとして、サイドライト方式の面状照明装置が広く用いられている。この種の面状照明装置は、画面と略等しい大きさの主面を有する導光板と、導光板の側端面に配置された光源とを備え、導光板の側端面から入射した光を、一主面から出射させることにより、画面を均一に照明するものである。このような面状照明装置は、多くの場合、導光板（及び光源等の他の構成要素）をハウジングフレームに収納した構成を有している（例えば、特許文献１参照）。
【０００３】
このような面状照明装置では、導光板の側面に突起を設けるとともに、ハウジングフレームの側壁にこの突起を配置するための凹部を設けて、導光板をハウジングフレームに収納する際に、導光板の突起を対応する凹部に配置することにより、ハウジングフレームに対して導光板を位置決めする構成がとられることが多い。従来、導光板の側面に設けられる位置決め用の突起として、その裏面が導光板の裏面と略面一になるように形成された突起が多用されている。
【０００４】
図５は、従来の面状照明装置の構成の一例として、特許文献１に記載された面状照明装置を示す分解斜視図である。
図５に示す面状照明装置Ｍは、液晶パネルＮのバックライトとして用いられ、導光板１０１、点状光源１０２、反射シート１０３、拡散シート１０４、プリズムシート１０５、１０６、及び、これらの部材が収納される枠状のハウジングフレーム１０７から構成される。導光板１０１は、略矩形状を有しており、点状光源１０２が配置されている側面１０８と直交する側面１１１、１１２に、突起１１１ａ〜１１１ｃ、１１２ａ〜１１２ｃが設けられている。
【０００５】
これらの突起１１１ａ〜１１１ｃ、１１２ａ〜１１２ｃは、導光板１０１をハウジングフレーム１０７に対して位置決めするためのものであり、ハウジングフレーム１０７の側壁１２２、１２３には、それぞれ突起１１１ａ〜１１１ｃ、１１２ａ〜１１２ｃを配置するための凹部１２０ａ〜１２０ｃ、１２１ａ〜１２１ｃが形成されている。
【０００６】
面状照明装置Ｍにおいて、突起１１１ａ〜１１１ｃ、１１２ａ〜１１２ｃの厚みは、導光板１０１の厚みよりも薄く形成されており、導光板１０１の厚み方向の形成位置に関して、突起１１１ａ、１１１ｃ、１１２ａ、１１２ｃは出射面１０９寄りに形成され、突起１１１ｂ、１１２ｂは導光板１０１の裏面１１０寄りに形成されている。このような面状照明装置Ｍの構成では、突起１１１ｂ、１１２ｂが、その裏面１１３が導光板１０１の裏面１１０と略面一に形成された突起の例となっている。
【０００７】
また、突起１１１ａ〜１１１ｃ、１１２ａ〜１１２ｃの上記構成に伴い、出射面１０９寄りに形成された突起１１１ａ、１１１ｃ、１１２ａ、１１２ｃに対応する凹部１２０ａ、１２０ｃ、１２１ａ、１２１ｃは、表面１２２ａ、１２３ａ側（導光板１０１の出射面１０９側）が開放された凹部、裏面１１０寄りに形成された突起１１１ｂ、１１２ｂに対応する凹部１２０ｂ、１２１ｂは、裏面１２２ｂ、１２３ｂ側（導光板１０１の裏面１１０側）が開放された凹部として形成されている。
【先行技術文献】
【特許文献】
【０００８】
【特許文献１】特開２００５−３０２４８５号公報
【発明の概要】
【発明が解決しようとする課題】
【０００９】
しかしながら、近年、導光板の大面積化や薄型化が進むにつれて、図５に示す面状照明装置Ｍのような面状照明装置には、次のような問題が顕在化してきている。すなわち、このような面状照明装置に対して、液晶パネルが固定された最終製品の状態において周期的な温度変化を与えると、導光板の側面に設けられた位置決め用の突起のうち、その裏面が導光板の裏面と略面一となるように設けられた突起（図５に示す例では、突起１１１ｂ、１１２ｂ）の根元に、亀裂や割れが生じる場合があることが分かった。
【００１０】
突起に亀裂や割れが生じることは、面状照明装置の構造安定性上望ましくないだけでなく、特に突起の根元から導光板内に向かって入る亀裂が導光板の有効出射領域にまで及んだ場合、導光板からの出射光の輝度の均一性が損なわれ、視認性の低下をまねくことにもなる。
【００１１】
そこで、本発明者等は、鋭意研究の結果、この問題の原因を解明し、本発明に至ったものであり、図６を参照して、その原因について説明すれば、次の通りである。
図６は、組立状態における面状照明装置Ｍの突起１１１ｂ部分を、突起１１１ｂを通って側面１１１の延在方向に直交する断面で示した部分断面図である。図６に示すように、面状照明装置Ｍにおいて、導光板１０１の裏面側１１０に配置される反射シート１０３は、通常、その周縁部を両面テープ１２５等の固着手段を介してハウジングフレーム１０７の側壁１２２の裏面１２２ｂに固着させることによって、ハウジングフレーム１０７に保持されている。
【００１２】
尚、図６では、側壁１２２の裏面１２２ｂの外縁部１２２ｃと内縁部１２２ｄとの間に、反射シート１０３を受け入れるための段差が設けられた構造が記載されているが、この段差構造の図５への記載は省略されている。また、図６では、導光板１０１の突起１１１ｂの裏面１１３は、導光板１０３の裏面１１０に対して一定の段差を有するように記載されているが、この段差は、両面テープ１２５の厚み分程度のごく僅かな段差を強調して示したものであり、突起１１１ｂの裏面１１３は、導光板１０１の裏面１１０と略面一である。
【００１３】
ここで、両面テープ１２５は、通常、側壁１２２の裏面１２２ｂ（図示の例の場合、内縁部１２２ｄ）に対して、凹部１２０ａ〜１２０ｃを避けることなく連続して固着されるため、裏面１２２ｂ側が開放されるように形成された凹部１２０ｂは、その一部が両面テープ１２５で覆われることになり、同時に、凹部１２０ｂに配置された突起１１１ｂの裏面１１３にも、両面テープ１２５が固着されることになる。
【００１４】
これによって、突起１１１ｂは、両面テープ１２５を介して反射シート１０３及びハウジングフレーム１０７に拘束されるため、面状照明装置Ｍに周期的な温度変化を与えた場合、面状照明装置Ｍの各構成部材の熱膨張係数の違いに起因する応力が突起１１１ｂにも繰り返し加わることになり、応力が集中する突起１１１ｂの根元に亀裂や割れが生じ易くなることが分かった。（事実、両面テープ１２５のうち凹部１２０ｂを覆う部分を意図的に除去した場合には、突起１１１ｂの根元に亀裂や割れが生じなかった。）
【００１５】
本発明は、上記課題に鑑み、導光板をハウジングフレームに収納した構成を備えた面状照明装置において、導光板の突起の亀裂や割れを抑制可能な面状照明装置を提供することを目的とする。
【課題を解決するための手段】
【００１６】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１７】
（１）側面に突起を有する導光板と、前記導光板の突起が配置される凹部を有するハウジングフレームと、前記導光板の出射面と対向する裏面側に配置される反射シートと、前記ハウジングフレームの裏面に前記反射シートを固定する固定手段と、を備え、前記ハウジングフレームの凹部には、裏面側が開放されるように形成されているとともに、少なくとも一部が前記固定手段で覆われる第１の凹部が含まれており、前記第１の凹部に配置される突起は、前記固定手段と対向する対向面が前記固定手段から離間していることを特徴とする面状照明装置（請求項１）。
【００１８】
本項に記載の面状照明装置によれば、導光板がその側面に有する突起のうち、第１の凹部に配置される突起の固定手段と対向する対向面が、固定手段から離間していることにより、第１の凹部が、その裏面側が開放されるように形成されているとともに、少なくとも一部が固定手段で覆われている構成において、第１の凹部に配置される突起が固定手段によって反射シート及びハウジングフレームに拘束されることがない。これによって、温度変化等の環境変化が生じた場合に突起に生じる応力が低減し、突起の亀裂や割れを抑制または解消することが可能となる。
【００１９】
（２）（１）項に記載の面状照明装置において、前記第１の凹部に配置される突起は、前記固定手段と対向する対向面が、前記導光板の裏面の高さ位置を基点として、外側に向かうほど前記導光板の出射面側に位置するように傾斜している面部を有することを特徴とする面状照明装置（請求項２）。
【００２０】
本項に記載の面状照明装置によれば、第１の凹部に配置される突起の根元部分の断面積の最大化を図ることが可能となり、突起の亀裂や割れをより効果的に抑制または解消することが可能となる。
【００２１】
（３）（１）または（２）項に記載の面状照明装置において、前記固定手段が両面テープであることを特徴とする面状照明装置（請求項３）。
【００２２】
（４）（１）から（３）のいずれか１項に記載の面状照明装置において、前記第１の凹部に配置される突起は、その平面視形状が、外側ほど幅が狭い台形形状であることを特徴とする面状照明装置（請求項４）。
【００２３】
本項に記載の面状照明装置によれば、第１の凹部に配置される突起に応力が生じた場合でも、突起の亀裂や割れを効果的に抑制または解消することが可能となる。
【００２４】
（５）（１）から（４）のいずれか１項に記載の面状照明装置において、前記第１の凹部に配置される突起は、前記導光板の側面との境界部分がＲ形状であることを特徴とする面状照明装置（請求項５）。
【００２５】
本項に記載の面状照明装置によれば、第１の凹部に配置される突起に応力が生じた場合でも、その突起の亀裂や割れを効果的に抑制または解消することが可能となる。
【００２６】
（６）（１）から（５）のいずれか１項に記載の面状照明装置において、前記第１の凹部に配置される突起は、前記導光板の裏面寄りに設けられ、前記第１の凹部は、前記ハウジングフレームの表面寄りに壁部を残して段状に形成されていることを特徴とする面状照明装置（請求項６）。
【００２７】
本項に記載の面状照明装置によれば、面状照明装置の組立において、導光板をハウジングフレームの裏面側から配置し、その後、ハウジングフレームの裏面に固定手段を介して反射シートを固定する方法を好適に適用することが可能となる。
【００２８】
（７）光を出射する平面を有する導光板と、前記導光板を保持する枠状のハウジングフレームとを備え、前記導光板は、その側面に、前記ハウジングフレームに位置決めするための突起を有し、前記突起には、外側ほど厚みが小さくなるように構成された部分を有する第１の突起が含まれることを特徴とする面状照明装置。
【００２９】
本項に記載の面状照明装置によれば、導光板がその側面に有する第１の突起は、外側ほど厚みが小さくなるように構成された部分を有しているため、温度変化等の環境変化が生じた場合及び突起に何らかの外力が作用した場合でも、第１の突起の根元部分への応力集中が緩和され、第１の突起の亀裂や割れを抑制または解消することが可能となる。
また、本項に記載の面状照明装置は、導光板を溶融樹脂の射出成形法によって成形する場合、第１の突起の体積が減少することによって第１の突起の根元部分に発生する残留応力が低減するため、第１の突起の亀裂や割れを抑制または解消する上で、さらに有利なものである。
【発明の効果】
【００３０】
本発明は、以上のように構成したため、導光板をハウジングフレームに収納した構成を備えた面状照明装置において、導光板の突起の亀裂や割れを抑制可能な面状照明装置を提供することが可能となる。
【図面の簡単な説明】
【００３１】
【図１】本発明の一実施形態における面状照明装置の要部を示す分解斜視図である。
【図２】図１に示す面状照明装置において、導光板の突起付近の構成を示す部分断面図である。
【図３】本発明の一実施形態における面状照明装置において、導光板の突起の形状の一例を示す平面図である。
【図４】本発明の一実施形態における面状照明装置において、導光板の突起の形状の別の例を示す側面図である。
【図５】従来の面状照明装置の構成例を示す分解斜視図である。
【図６】図５に示す面状照明装置において、導光板の突起付近の構成を示す部分断面図である。
【発明を実施するための形態】
【００３２】
以下、本発明の実施の形態を添付図面に基づいて説明する。尚、面状照明装置の全体または部分を示す各図（図１〜図４）は、いずれも説明のために特徴を強調して示す模式図であって、図示された各部分の相対的な寸法は、必ずしも実際の縮尺を反映するものではない。
【００３３】
図１は、本発明の一実施形態における面状照明装置の要部を示す分解斜視図である。
図１に示す面状照明装置５０は、液晶パネルのバックライトとして好適に用いられるものであり、導光板１、光源２、反射シート３、拡散シート４、プリズムシート５、６、及び、これらの部材が収納及び保持される枠状のハウジングフレーム７を含んでいる。
【００３４】
導光板１は、メタクリル樹脂やポリカーボネート樹脂等の透明樹脂材料から、射出成形等によって形成される板状の導光体である。面状照明装置５０において、導光板１は、平面視略矩形状に成形され、その四方の側面８〜１１のうちの１つ（図示の例では、側面８。以下、この側面を入射面ともいう）に点状光源２が配置されている。
また、導光板１の入射面８と交差して（この例の場合、直交する方向に）延びる側面９、１１には、それぞれ側面９、１１から突出する突起１４、１５が設けられており、これらの突起１４、１５は、後述するように、導光板１をハウジングフレーム７に収納する際に、ハウジングフレーム７に対する導光板１の位置決めに用いられる。
尚、面状照明装置１において、光源２は、図１に示すように、入射面８に沿って配列された複数の点状光源（例えば、白色発光ダイオード）から構成されるものであってもよい。
【００３５】
面状照明装置５０において、光源２が発光した光は、入射面８を通じて導光板１内に入射し、導光板１の一主面１２（または、主面１２内に設定された所定の有効出射領域）から面状に出射されるものである。以下、主面１２を出射面、主面１２と対向する側の主面１３を裏面ともいう。
【００３６】
ハウジングフレーム７は、例えば、ポリカーボネート樹脂等の透明樹脂に光反射部材（例えば、酸化チタン等の白色顔料）を混入した樹脂材料から、側壁２０〜２３を有する枠状に成形されてなるものであり、導光板１は、その側面８〜１１が側壁２０〜２３によって囲われるようにハウジングフレーム７内に収納される。
そして、ハウジングフレーム７の側壁２０〜２３のうち、導光板１をハウジングフレーム７内に収納したときに側面９、１１に対向する側壁２１、２３には、それぞれ凹部２５、２６が設けられており、導光板１は、突起１４、１５が凹部２５、２６に配置されることにより、ハウジングフレーム７に対して位置決めされる。
【００３７】
さらに、面状照明装置５０では、導光板１の出射面１２側に、拡散シート４及びプリズムシート５、６が積層配置され、さらに、枠状の遮光シート３２が、最上層のプリズムシート６の周縁部を覆うように配置されて、プリズムシート６及びハウジングフレーム７の側壁２０〜２３の表面（導光板１の出射面１２側の面）２０ａ〜２３ａ上に固着される。導光板１の出射面１２のうち、遮光シート３２の枠内に相当する領域が、上記有効出射領域に相当する。
【００３８】
また、導光板１の裏面１３側には、反射シート３が配置される。反射シート３は、その周縁部を、両面テープ３３等の固着手段を介してハウジングフレーム７の側壁２０〜２３の裏面２０ｂ〜２３ｂに固着させることによって、ハウジングフレーム７に保持される。
【００３９】
尚、面状照明装置５０において、反射シート３、拡散シート４、及びプリズムシート５、６は、いずれも面状照明装置に適用される周知の部材を使用することができるため、その構成の詳細の説明は省略する。
また、図１に示す例では、導光板１がハウジングフレーム７に対して所定の位置に位置決めされて収納された状態において、導光板１の入射面８に対向する側壁２０と入射面８との間には間隙が形成され、光源２は、（例えば、図示を省略するＦＰＣ等の回路基板に実装された状態で）この間隙に収納されるものである。
【００４０】
次に、図１とともに図２及び図３を参照して、面状照明装置５０における、突起１４、１５及び凹部２５、２６の構成について詳述する。ここで、図２は、組立状態における面状照明装置５０において、導光板１の１つの突起１４付近を、その突起１４を通って側面９の延在方向に直交する断面で示した部分断面図である。図３は、１つの突起１４を導光板１の出射面１２側から見た平面図である。
【００４１】
尚、以下では、図２及び図３に示す１つの突起１４及び凹部２５を例として、その構成について説明するが、面状照明装置５０において、他の突起１４、１５及び凹部２５、２６の構成は、図２及び図３に示す構成と同一のものである。
また、図２では、側壁２１の裏面２１ｂの外縁部２１ｃと内縁部２１ｄとの間に、反射シート３を受け入れるための段差が設けられた構造が記載されているが、この段差構造の図１への記載は省略されている。
【００４２】
面状照明装置５０において、突起１４は、導光板１の厚み方向の形成位置に関して、裏面１３寄りに設けられている。具体的には、突起１４の表面（導光板１の出射面１２側の面）１４ａは、側面９の厚み方向の中央部付近から、出射面１２と略平行に延びる平坦面から構成され、突起１４の裏面（導光板１の裏面１３側の面）１４ｂは、導光板１の裏面１３の高さを基点として、外側に向かうほど出射面１２側に位置するように傾斜する傾斜面から構成されている。また、このような表裏面１４ａ、１４ｂにより、突起１４の厚みは、外側ほど小さくなるものである。
【００４３】
突起１４が配置される凹部２５は、ハウジングフレーム７の側壁２１の内面（導光板１の側面９と対向する面）に、側壁２１の裏面２１ｂ側が開放されるとともに、表面２１a寄りに壁部２７を残して、表面２１ａ側が閉じられた段状に形成されている。また、凹部２５は、反射シート３をハウジングフレーム７に保持した状態において、反射シート３の周縁部を側壁２１の裏面２１ｂ（図示の例の場合、内縁部２１ｄ）に固着するための両面テープ３３によって、その一部が覆われることになる。
【００４４】
そして、面状照明装置５０の組立状態において、突起１４は、その表面１４ａをハウジングフレーム２１の壁部２７に接触させた状態で、凹部２５内に配置される。この時、突起１４の、両面テープ３３と対向する対向面である裏面１４ｂは、両面テープ３３から離間しているものである。
【００４５】
ここで、突起１４の平面視形状は、好ましくは、図３に示すように、外側ほど幅が狭い台形形状、言い換えれば、突起１４の根元側（導光板１の側面９側）を下底、先端側を上底として、上底が下底よりも短い台形形状に形成されている。さらに好ましくは、突起１４は、導光板１の側面９との境界部分３６、３７がＲ形状（図示は省略する）をなすように形成されているものである。
【００４６】
面状照明装置５０は、以上のように構成されていることによって、次のような作用効果を奏する。まず、面状照明装置５０では、突起１４の両面テープ３３と対向する裏面１４ｂ及び突起１５の両面テープ３３と対向する裏面（図示は省略されているが、以下、符号１５ｂを付す）が、両面テープ３３から離間していることにより、凹部２５、２６に配置される突起１４、１５が両面テープ３３によって反射シート３及びハウジングフレーム７に拘束されることがなく、これによって、温度変化等の環境変化が生じたときに突起１４、１５に生じる応力が低減するため、突起１４、１５の亀裂や割れを抑制または解消することが可能となる。
【００４７】
さらに、面状照明装置５０では、突起１４、１５の裏面１４ｂ、１５ｂと両面テープ３３とを離間させるために、裏面１４ｂ、１５ｂを、導光板１の裏面１３の高さ位置を基点として、外側に向かうほど導光板１の出射面１２側に位置するように傾斜している傾斜面から構成した。この構成により、突起１４、１５の裏面１４ｂ、１５ｂと両面テープ３３とを離間させつつ、突起１４、１５の根元部分の断面積の最大化を図ることが可能となり、突起１４、１５の根元部分の強度を維持しながら両面テープ３３による拘束の悪影響を回避して、突起の亀裂や割れをより効果的に抑制または解消することが可能となる。
【００４８】
尚、図２に示す例では、突起１４の裏面１４ｂの全体が一定の傾斜角度で傾斜する傾斜面で構成されるものとしたが、突起１４、１５は、裏面１４ｂ、１５ｂの一部が、導光板１の裏面１３の高さ位置を基点として、外側に向かうほど導光板１の出射面１２側に位置するように傾斜している面部からなるものであってもよく、また、裏面１４ｂ、１５ｂに曲面が含まれるものであってもよい。
【００４９】
さらに、面状照明装置５０では、突起１４、１５は、外側ほど厚みが小さくなるように構成されているため、突起１４、１５に、両面テープ３３の固着による拘束とは異なる要因により外力が作用した場合でも、突起１４、１５の根元部分への応力集中が緩和され、突起１４、１５の亀裂や割れを抑制または解消することが可能となる。
また、突起１４、１５が、外側ほど厚みが小さくなるように構成されていることは、導光板１を溶融樹脂の射出成形法によって成形する場合、導光板１と一体に成形される突起１４、１５の体積が減少することによって、突起１４、１５の根元部分に発生する残留応力が低減するため、突起１４、１５の亀裂や割れを抑制または解消する上で、さらに有利なものである。
【００５０】
尚、面状照明装置５０では、突起１４、１５は、その突出方向の全体にわたって外側ほど厚みが小さくなるように構成されているものとしたが、突起１４、１５は、突出方向の一部にわたって、外側ほど厚みが小さくなるように構成されている部分を含むものであってもよい。
【００５１】
さらに、突起１４、１５の平面視形状が、外側ほど幅が狭い台形形状であること、及び、突起１４、１５の、導光板１の側面９との境界部分３６、３７がＲ形状であることは、突起１４に応力が生じた場合でも、突起１４の根元部分への応力集中を緩和し、突起１４の亀裂や割れを効果的に抑制または解消する上でさらに有利な構成である。
この際、台形形状の傾斜面１４ｃ、１４ｄの傾斜角度は、面状照明装置の光学特性に対して傾斜面１４ｃ、１４ｄが及ぼす影響、及び導光板１の突起１４、１５部分の成形性等を勘案の上、適切に決定されるものである。
【００５２】
そして、面状照明装置５０は、突起１４、１５が導光板１の裏面１３寄りに設けられ、突起１４、１５が配置される凹部２５、２６が、ハウジングフレーム７の表面２１ａ、２３ａ寄りに壁部２７を残して段状に形成されているため、面状照明装置５０の組立工程において、ハウジングフレーム７を裏返した状態で準備し、ハウジングフレーム７の裏面２０ｂ〜２３ｂ側から導光板１をハウジングフレーム７内に配置し、その後、ハウジングフレーム７の裏面２０ｂ〜２３ｂに、両面テープ３３を介して反射シート３を固定する方法を好適に適用することができる。
【００５３】
尚、図１では、反射シート３が、その周縁部に両面テープ３３が配置された状態で示されているが、これは構成の説明の便宜上の記載であって、面状照明装置５０の実際の組立工程を、両面テープ３３を反射シート３上に予め固着させた後、反射シート３をハウジングフレーム７に固定するという手順で実施する必要があることを示唆するものではない。
【００５４】
本発明者等の調査において、図６に示すような両面テープ１２５に固着された突起１１１ｂを有する従来の面状照明装置と本実施形態における面状照明装置５０の、それぞれ５検体に対して温度サイクル試験（−４０℃〜＋８５℃、６００サイクル）を実施したところ、従来の面状照明装置では、全ての検体の突起１１１ｂに亀裂が入り、一方、本実施形態における面状照明装置５０では、いずれの検体の突起１４、１５にも亀裂が入らないことが確認された。
【００５５】
以上、本発明を好ましい実施形態に基づいて説明したが、本発明に係る面状照明装置は、上述した実施形態に限定されるものではない。例えば、ハウジングフレーム７の側壁２１、２３に、側壁２１、２３の裏面２１ｂ、２３ｂ側が開放されるように形成され、その一部が両面テープ３３によって覆われる凹部２５、２６に配置される突起は、図４に示す突起４４のように、その裏面４４ｂが、入射面８側から入射面８と対向する側面１０側に向かうにしたがって出射面１２に近づくように傾斜する傾斜面４４ｂ（あるいは、入射面８と対向する側面１０側から入射面８に向かうにしたがって、出射面１２に近づくように傾斜する傾斜面）から構成され、これによって、両面テープ３３と裏面４４ｂが離間するものであってもよい。
【００５６】
また、ハウジングフレーム７の側壁２１、２３に、側壁２１、２３の裏面２１ｂ、２３ｂ側が開放されるように形成され、その一部が両面テープ３３によって覆われる凹部２５、２６に配置される突起は、必ずしも、導光板１の厚み方向の形成位置に関して裏面１３寄りに形成されていなくともよく、例えば、突起の表面が導光板１の出射面１２と略面一となるように形成されているものであってもよい。
【００５７】
また、本発明に係る面状照明装置は、ハウジングフレーム７の側壁２１、２３に設けられる凹部に、側壁２１、２３の裏面２１ｂ、２３ｂ側が開放されるように形成され、その一部が両面テープ３３によって覆われる凹部２５、２６（第１の凹部）とは異なる構成を有する凹部が含まれ、導光板１の側面９、１１が有する位置決め用の突起には、上記第１の凹部２５、２６とは異なる凹部に配置される突起が含まれるものであってもよい。
この典型的な例は、ハウジングフレーム７の側壁２１、２３に設けられる凹部に、図５に示す凹部１２０ａ、１２０ｃ、１２１ａ、１２１ｃのように、側壁２１、２３の表面２１ａ、２３ａ側が開放され（、かつ裏面２１ｂ、２３ｂ側が開放されていない）凹部が含まれており、導光板１の側面９、１１に、この凹部に配置される突起として、図５に示す突起１１１ａ、１１１ｃ、１１２ａ、１１２ｃのような、導光板１の厚み方向の形成位置に関して出射面１２寄りに設けられた突起が含まれている構成である。
【００５８】
さらに、面状照明装置５０において、凹部２５は、図２に示すように、側壁２１の裏面２１ｂの外縁部２１ｃ側及び導光板１の側面９側にそれぞれ隙間をあけて、その一部が両面テープ３３によって覆われる構成としたが、本発明に係る面状照明装置において、上記第１の凹部２５、２６は、その全体が両面テープ３３等の固定手段によって覆われるものであってもよい。
【００５９】
また、面状照明装置５０は、導光板１の入射面８と交差して延びる側面９、１１に設けられた突起１４、１５を有するものとしたが、本発明に係る面状照明装置において、上記第１の凹部２５、２６に配置される突起１４、１５及び（存在する場合には）他の突起は、導光板の任意の側面に設けられるものであってもよい。
【符号の説明】
【００６０】
１：導光板、２：光源、３：反射シート、７：ハウジングフレーム、８〜１１：側面、１４，１５：突起、１２：出射面、１３：導光板の裏面、１４ｂ，１５ｂ：突起の裏面、２０ｂ〜２３ｂ：ハウジングフレームの裏面、２５，２６：凹部（第１の凹部）、３３：両面テープ（固定手段）、５０：面状照明装置
【図１】
0005610238.tif 000002
【図２】
0005610238.tif 000003
【図３】
0005610238.tif 000004
【図４】
0005610238.tif 000005
【図５】
0005610238.tif 000006
【図６】
0005610238.tif 000007